(57)【要約】      （修正有）【課題】コピーの終了、ＦＡＸの送信が終了したことをＳＭＳ配信サービスで知ることができ、発信者情報を特定することができる画像通信システムを提供する。【解決手段】画像通信装置とＳＭＳ基地局がネットワークで接続され、ＳＭＳ基地局と携帯端末が無線ＬＡＮで接続されたシステムは、画像通信装置は原稿読取手段、プリント手段、ファクシミリ通信手段及びネットワーク送信手段を備える。原稿読取手段が読取ったデータをプリント手段で印刷するコピー機能が終了した時もしくは原稿読取手段で読取ったデータをファクシミリ通信手段によって送信終了した時、ＳＭＳ基地局にコピー機能が終了もしくはファクシミリ送信が終了したことを示すメッセージを作成し、上記メッセージの送信者情報にファクシミリ通信で使われる電話番号を設定し、ＳＭＳ基地局に上記メッセージを送信する。ＳＭＳ基地局は、受信したメッセージを携帯端末に送信する。【選択図】図５
2020031289.tif 000002
【特許請求の範囲】
【請求項１】
画像通信装置（１００）と、ＳＭＳ基地局（１３０）がネットワーク（１４１）で接続し、ＳＭＳ基地局（１３０）と携帯端末（１４５）が無線ＬＡＮ（１４４）にて接続されたシステムにおいて、
画像通信装置（１００）は原稿読取手段（１３４）、プリント手段（１３６）、ファクシミリ通信手段（１４０）、ネットワーク送信手段（１３８）を備え、
画像読み取り手段（１３４）が読み取った画像データをプリント手段で印刷するコピー機能が終了した時、もしくは原稿読取手段（１３４）で読み取った画像データをファクシミリ通信手段（１４０）にて送信が終了した時に、
ＳＭＳ基地局（１３０）にコピー機能が終了した、もしくはファクシミリ送信が終了した時に、終了したことを示すメッセージを作成し（Ｓ４０７）、
上記メッセージの送信者情報にファクシミリ通信で使われる電話番号を設定し（Ｓ４０６）、ＳＭＳ基地局に上記メッセージを送信し（Ｓ４０８）、
ＳＭＳ基地局は受信した上記メッセージを携帯端末（１４５）に送信することを特徴とする画像通信システム。
【請求項２】
上記ファクシミリ通信手段は取り外すことが可能で、ファクシミリ通信手段が接続されている時に（Ｓ４０５）ファクシミリ通信で使われる電話番号を設定する（Ｓ４０６）ことを特徴とする請求項１に記載の画像通信システム。
【発明の詳細な説明】
【技術分野】
【０００１】
本発明は、コピー、ＦＡＸ等の機能を備え、携帯電話などのデバイスと連携を図る画像通信システムに関する。
【背景技術】
【０００２】
コピー、プリンタ、ＦＡＸ等の複数の機能を備えたＭＦＰ（Ｍｕｌｔｉ  Ｆｕｎｃｔｉｏｎ  Ｐｅｒｉｐｈｅｒａｌ）が普及している。従来大量のコピーを実施すると印刷時間が長くなるため、コピー終了時に電子メールでコピーの終了を知らせるようにして、この間に他の作業ができるようにしたＪＯＢ終了通知機能が存在する。コピーの他にもＦＡＸ等の送信が終わったら電子メールを送信するＪＯＢ終了通知も存在し、ＦＡＸ送信終了直後に送信宛先にＦＡＸが正常に届いているか確認するために電話をかけるなどで利用がされている。
【０００３】
特許文献１は、ＦＡＸ受信に成功すると受信機から送信機にＳＭＳでメッセージを送信する技術を開示している。
【先行技術文献】
【特許文献】
【０００４】
【特許文献１】特開２００４−２５４０４２号公報
【発明の概要】
【発明が解決しようとする課題】
【０００５】
ＪＯＢ終了通知は電子メールで送信されるので、ＰＯＰ３プロトコルを用いて受信することが多い。ＰＯＰ３は一定間隔で定期的に受信を行うため即時性がなく、コピー、ＦＡＸ送信が終了して、しばらく時間がたってから終了通知を受信することがあった。このためコピー機能により印刷された印刷物が放置され、紛失につながる可能性があった。同様にＦＡＸ送信が終わってから、すぐに送信宛先に電話ができず、しばらくしてから連絡することになり問題となっていた。携帯電話の世界ではこのような即時性の問題がない、ＳＭＳ（Ｓｈｏｒｔ  Ｍｅｓｓａｇｅ  Ｓｅｒｖｉｃｅ）が存在する。
【０００６】
近年ＰＣからＷｅｂサイトにメッセージを入力し、このＷｅｂサイトからメッセージを携帯電話に送信するＳＭＳ配信サービスが存在する。
【０００７】
しかしながら、ＳＭＳ配信サービスでは送信者は電話ではなくＰＣから送信するために送信者の電話番号が００００  ０００００００などの不明な番号で送られることも多かった。このメッセージを受信した受信者は、誰がメッセージを送信したのか不明なため、書かれているメッセージの内容を信用できない場合もあった。
【課題を解決するための手段】
【０００８】
上記の課題を解決するために、本発明に係る画像通信システムは、
画像通信装置（１００）と、ＳＭＳ基地局（１３０）がネットワーク（１４１）で接続し、ＳＭＳ基地局（１３０）と携帯端末（１４５）が無線ＬＡＮ（１４４）にて接続されたシステムにおいて、
画像通信装置（１００）は原稿読取手段（１３４）、プリント手段（１３６）、ファクシミリ通信手段（１４０）、ネットワーク送信手段（１３８）を備え、
画像読み取り手段（１３４）が読み取った画像データをプリント手段で印刷するコピー機能が終了した時、もしくは原稿読取手段（１３４）で読み取った画像データをファクシミリ通信手段（１４０）にて送信が終了した時に、
ＳＭＳ基地局（１３０）にコピー機能が終了した、もしくはファクシミリ送信が終了した時に、終了したことを示すメッセージを作成し（Ｓ４０７）、
上記メッセージの送信者情報にファクシミリ通信で使われる電話番号を設定し（Ｓ４０６）、ＳＭＳ基地局に上記メッセージを送信し（Ｓ４０８）、
ＳＭＳ基地局は受信した上記メッセージを携帯端末（１４５）に送信することを特徴とする。
【発明の効果】
【０００９】
本発明に係る画像通信システムによれば、コピーの終了、ＦＡＸなどの送信が終了したことをＳＭＳ配信サービスで知ることができるために、終了直後にメッセージを受信することができるようになった。また、このさいにメッセージの発信者情報をＦＡＸ機能で使われる電話番号を用いることで、どこから発信されたメッセージか知ることができるようになり、メッセージを安心して読むことができるようになった。
【図面の簡単な説明】
【００１０】
【図１】システム構成を示す図である。
【図２】ＭＦＰの電気的構成を示す図である。
【図３】スキャンして送信機能を操作する時に使われる画面である。
【図４】コピー機能を操作する時に使われる画面である。
【図５】ＪＯＢ終了通知の動作を説明するフローチャートである。
【図６】携帯電話で表示されるＳＭＳアプリケーションの画面である。
【図７】第２の実施例を説明する図である。
【発明を実施するための形態】
【００１１】
以下、本発明を実施するための形態について、図面を参照しながら説明する。
【００１２】
図１は本実施の形態に係る画像通信装置のシステム構成を説明する図である。電子写真方式を採用するフルカラーＭＦＰ１００がネットワーク１４１に接続されている。
ＭＦＰ１００はコピー、ＦＡＸ、プリンタ機能を備えたＭＦＰである。ＭＦＰ１００にはスキャナで読取った画像ファイルをコンピュータ機器に送信するＳＥＮＤ機能、スキャナで読取った画像を同種の機器間で通信を行い、受信した画像を印刷するＩＦＡＸ機能も備える。メールサーバ１０２もこのネットワーク１４１に接続し、ＳＭＴＰ、ＰＯＰ３プロトコルによりＭＦＰ１００、クライアントＰＣ１０３等と通信を行い、画像ファイルが添付されたメールデータを配信することができる。
【００１３】
クライアントＰＣ１０３は画像ビューアのソフトがインストールされ、ＭＦＰ１００でスキャンした画像を表示することが可能であり、この画像をプリンタ機能にてＭＦＰ１００で印刷することもできる。クライアントＰＣ１０３には電子メールクライアントソフトもインストールされ、メールサーバ１０２、電子メールの送受信をすることが可能である。ＭＦＰ１００は電話回線１４２に接続し、この回線１４２は電話局１３１を経由して通信宛先のＦＡＸ１３２に接続し、ＦＡＸ通信が実施される。
【００１４】
ネットワーク１４１はインターネット１４３に接続し、インターネット１４３を経由してＳＭＳ基地局に接続されている。クライアントＰＣ１０３に実装されているＷｅｂブラウザでＳＭＳ基地局にアクセスし、メッセージを書き込むと携帯電話１４５に入力したメッセージがＳＭＳで送信される。
【００１５】
図２はＭＦＰの電気的構成を説明する図である。
【００１６】
図２において、ＣＰＵ１３０は、ＲＯＭ１３１に格納されているプログラムとＲＡＭ１３２のメモリを利用してシステム全体の制御を実施する制御回路である。操作部１３３は、ＬＣＤ表示パネルとスタートキー、テンキー等のハードキーから構成され、ＬＣＤ上にソフト的にボタンを表示し、ユーザが指でボタンをタッチすることを検出してユーザオペレーションを円滑に実行する回路である。スキャナ１３４は、原稿上の画像を読み取って画像データを生成する。プリンタ１３５は、画像データに基づく画像を記録媒体上に印刷する。
【００１７】
画像処理回路１３６は、大容量の画像メモリ、画像回転回路、解像度変倍回路、ＭＨ、ＭＲ、ＭＭＲ、ＪＢＩＧ、ＪＰＥＧ等の符号／復号化回路等で構成され、シェーディング、トリミング、マスキング等の各種画像処理も実行することができる。ハードディスク１３７は、ＳＣＳＩ、ＩＤＥ等のＩ／Ｆで接続されている大容量記録媒体である。ネットワークＩ／Ｆ１３８は、１０ＢＡＳＥ−Ｔ、１００ＢＡＳＥ−Ｔを代表とするイーサネット（登録商標）あるいはトークンリング等のネットワーク回線と接続するための回路である。
【００１８】
フォーマッタ部１３９は、プリンタ１３５で印刷するための画像を作成するレンダリング回路である。ネットワークＩ／Ｆ１３８を介してＰＣからＰＤＬ（Ｐａｇｅ  Ｄｅｓｃｒｉｐｔｉｏｎ  Ｌａｎｇｕａｇｅ）データを受信した場合に、受信したＰＤＬデータから画像データが作成される。そして、作成した画像データに対して画像処理回路１３６で画像処理を行いプリンタ１３５で印刷する。
【００１９】
スキャナ１３４、プリンタ１３５、画像処理回路１３６、フォーマッタ部１３９は、ＣＰＵ１３０からのＣＰＵバスとは別の高速ビデオバスで接続され、画像データを高速に転送できるように構成されている。
【００２０】
ＭＦＰ１００は、スキャナ１３４で読み取った画像データを画像処理回路１３６で画像処理し、プリンタ１３５で読み取った画像を印刷するように動作することでコピー機能が実現される。ファックス部１４０は、電話回線１４２上の外部装置との間のファクシミリ通信を制御する。つまり、スキャナ１３４で読み取った画像データを画像処理回路１３６で画像処理し、電話回線１４２経由で外部装置に送信、あるいは外部装置からのデータを受信して画像処理回路１３６で画像処理を行ってプリンタ１３５で印刷する。また、スキャナ１３４で読み取った画像データを画像処理回路１３６でＪＰＥＧ、ＰＤＦ、ＴＩＦＦ等の画像を作成する。
【００２１】
作成したＰＤＦ画像をネットワークＩ／Ｆ１３８からＳＭＴＰ、ＦＴＰ、ＳＭＢ等の通信プロトコルで送信するＳＥＮＤ機能が存在する。ＪＰＥＧ、ＰＤＦ、ＴＩＦＦ等の画像ファイルをＳＭＴＰプロトコルにて送信する機能を電子メール送信機能、ＦＴＰ、ＳＭＢ、ＷｅｂＤＡＶで送信する機能をファイル送信機能と呼ぶ。ＳＥＮＤ機能の１つとしてＲＦＣ２３０５で規定されているインターネットファクシミリ機能が存在し、同種の機器間で画像ファイルを電子メールに添付して送受信することでファクシミリ機能を実現している。
【００２２】
インターネットファクシミリ（ＩＦＡＸ）機能はスキャナ１３４で読み取った画像データを画像処理回路１３６でＲＦＣ３９４９にて規定されているＴＩＦＦファイルを作成し、ＳＭＴＰプロトコルで送信する。この電子メールをＳＭＴＰ又はＰＯＰ３プロトコルを用いてＴＩＦＦファイルを受信し、画像処理回路１３６で内部画像フォーマット画像に変更後プリンタ１３５にて印刷を行う。シリアルＩ／Ｆ１４３はＲＳ２３２Ｃ等のシリアルＩ／Ｆであり、外部のシリアル機器をＭＦＰ１００に接続するためのＩ／Ｆである。シリアルＩ／Ｆ１４３にはカードリーダ１４４が接続され、カード１０５に記録されている情報を読取ることができ、この情報よりカード所有者のユーザ認証を行う。
【００２３】
図３は、操作部１３３に表示されるＳＥＮＤ機能を操作する時の操作部１３３に表示される画面である。
【００２４】
アドレス帳２００、ワンタッチ２０１のボタンを開くと、すでにアドレス帳、ワンタッチに登録されているユーザを送信宛先に設定することができる。宛先が登録されていない宛先に送信する場合は新規入力２０２から送信宛先を指定する。カラー選択２０３のボタンはスキャナでカラー／グレー／白黒２値画像を読み取るのか、原稿の色に従い最適な読み方を選択する自動選択で読み取るのか、読み取り方を選択できるボタンである。解像度選択ボタン２０４はスキャナで読み取る画像の解像度を選択できるボタンであり、２００×２００、３００×３００、４００×４００、６００×６００ｄｐｉから選択することができる。
【００２５】
用紙選択ボタン２０５はスキャナで読み取る原稿のサイズを指定するボタンであり、フィーダーが検知したサイズで読み取る自動サイズ、Ａ３／Ｂ４／Ａ４／Ｂ５／Ａ５等の規定サイズから選択することができる。ファイル形式選択ボタン２０６は送信する画像ファイルのファイル形式を選択するボタンであり、ＪＰＥＧ、ＴＩＦＦ、ＰＤＦなどのファイル形式を選択できる。ＰＤＦを選択した場合は画像を文字部と画像部で分離して圧縮率を最適化することにより画像サイズを小さくした高圧縮ＰＤＦ、ＯＣＲをかけたＰＤＦ（ＯＣＲ）を選択することができる。
【００２６】
両面原稿ボタン２０７はフィーダーにセットされた原稿の片面だけを読み取るのか、両面を読み取るのかを選択することができるボタンである。両面選択時はさらに上下開き、左右開きを選択することができる。ＪＯＢ終了通知２０８は送信動作が終了すると指定した宛先に終了メッセージを送信するＪＯＢ終了通知機能をＯＮ／ＯＦＦを設定するボタンである。
【００２７】
図４はコピーの設定画面であり、この画面でコピーの設定を行い、スタートキーを押下することによりコピーが実施される。カラー選択２２０は原稿をカラーで読み取るか白黒で読み取るか自動で判断するかを設定するボタンである。倍率２２１はコピー時に原稿の大きさを変倍させるボタンであり倍率を入力することができる。用紙サイズ選択ボタン２２２はスキャナで読み取る原稿のサイズを指定するボタンであり、フィーダーが検知したサイズで読み取るＡＵＴＯ、Ａ３／Ｂ４／Ａ４／Ｂ５／Ａ５等の規定サイズから選択することができる。
【００２８】
部数２２３は印刷部数を設定することができるボタンである。仕上げ２２４は印刷物をホチキス止めする時に止める位置を指定することができる。両面２２５は印刷物を両面で印刷するか片面で印刷するかを指定するボタンである。濃度２２６は印刷濃度を設定するボタンである。ＪＯＢ終了通知２２７はコピーが終了すると指定した宛先に終了メッセージを送信するＪＯＢ終了通知機能をＯＮ／ＯＦＦを設定するボタンである。
【００２９】
図５はＪＯＢ終了通知のフロー図である。各ステップは、ＣＰＵ１３０がＲＯＭ１３１からＲＡＭ１３２に展開した制御プログラムを実行することによって実現される。２０８のＪＯＢ終了通知ボタンがＯＮに設定されスキャンして送信機能が実施され、送信が終了した場合、２２７のＪＯＢ終了通知ボタンがＯＮに設定されコピーが終了した場合Ｓ４００のフローが動作する。
【００３０】
Ｓ４０１ではＪＯＢ終了通知の宛先が電話番号か調べる、電話番号の場合ＳＭＳを使ってメッセージを送信し、電話番号で無い場合は電子メールを使ってメッセージを送信する。電話番号の場合ＭＦＰ１００にファックス部１４０が付けられているか調べる。ファックス部１４０はオプションとして販売され取り外しが可能となっている。ファックス部１４０が取り付けられているとＳ４０６にて送信者情報にＦＡＸ電話番号がセットされる。この電話番号はＭＦＰ１００がＦＡＸ送信するさいに利用される電話番号である。ファックス部１４０が取り付けられていない場合は発信者情報に００００  ０００００００をセットする。この電話番号は暫定の番号でありユーザが別途登録した番号を使ってもよい。
【００３１】
Ｓ４０７はコピーが終了した、ファックス等の送信が終了したことを知らせるメッセージである。
【００３２】
Ｓ４０８ではＳ４０７で作成したメッセージをＳＭＳ基地局にＨＴＴＰのプロトコルを用いて送信し、Ｓ４１０で終了する。送信宛先がメールアドレスの場合はＳ４０２で送信者情報に機器のメールアドレスを設定する。ＭＦＰ１００でユーザ認証を実施していて認証ユーザのメールアドレスが解る場合は認証ユーザのメールを設定しても良い。
【００３３】
Ｓ４０３はコピー終了、送信ＪＯＢの終了を知らせるメッセージであり、Ｓ４０４にて電子メールのプロトコルにて送信される。
【００３４】
図６は携帯電話１４５でＳＭＳにてＪＯＢ終了通知を受信した図である。
【００３５】
ＦＡＸ送信が終了すると携帯電話１４５でピーンという受信音が鳴り、図６（１）のような画面が表示される。５０１はＳ４０６で設定したＭＦＰ１００に設定されているＦＡＸの電話番号であり、５０２はＳ４０７で作成したメッセージである。コピーが終了すると携帯電話１４５でピーンという受信音が鳴り、図６（２）のような画面が表示される。５０３はＳ４０６で設定したＭＦＰ１００に設定されているＦＡＸの電話番号であり、５０４はＳ４０７で作成したメッセージである。
【００３６】
図７はＭＦＰ１００に携帯電話で使われる回路を付け加え、ＭＦＰ１００と携帯電話が直接通信できるようにした第２の実施例である。ネットワークＩ／Ｆ１３８に無線通信Ｉ／Ｆ１５０を付け加え、アンテナ１５１から携帯電話で使われるＣＤＭＡ等の無線プロトコルを使って携帯電話会社の基地局との通信が行わる。携帯電話会社の基地局と携帯電話１４５も同様に通信が行われることでＭＦＰ１００と携帯電話１４５の通信が実行できる。Ｓ４０７で作成されたＳＭＳのメッセージはアンテナ１５１から携帯電話会社の基地局を経由して携帯電話１４５に送信される。
【符号の説明】
【００３７】
１００  ＭＦＰ、１３０  ＳＭＳ基地局、１４５  携帯電話 
【図１】
2020031289.tif 000003
【図２】
2020031289.tif 000004
【図３】
2020031289.tif 000005
【図４】
2020031289.tif 000006
【図５】
2020031289.tif 000007
【図６】
2020031289.tif 000008
【図７】
2020031289.tif 000009